(57)【要約】【課題】屋外にいる住人が玄関ドア等の鍵を所持していなくても屋内に入ることを可能とし、ひいては屋内外の出入りの利便性を向上させる。【解決手段】建物１０において、屋内外を出入りする際にユーザが通常用いる開口部である玄関口２１には玄関ドア２２が設けられ、それ以外の開口部である掃出窓３１にはガラス戸３２が設けられている。掃出窓３１のガラス戸３２には、電気クレセント錠よりなる窓施錠装置３３が設けられている。窓コントローラ３６には、携帯機５２からの受信情報が窓通信装置３４を通じて入力されるとともに、音声感知器３５で感知したユーザ音声情報が入力される。窓コントローラ３６は、窓通信装置３４からの受信情報とユーザ音声情報とに基づいて窓施錠装置３３の施解錠制御を実施する。【選択図】      図２
2008280716.tif 000002
【特許請求の範囲】
【請求項１】
屋内外を出入りする際にユーザが通常用いる玄関口などの開口部に設けられた第１扉体と、同開口部以外の開口部に設けられた第２扉体とを備えた建物に適用され、
ユーザに携帯されユーザ個別の識別情報を記憶する携帯型通信装置と、
前記第２扉体の付近に設けられ前記携帯型通信装置から送信される前記識別情報を受信可能とする屋外受信装置と、
前記屋外受信装置により受信した前記識別情報に基づいて、前記第２扉体に設けられた第２扉体用施錠装置の施解錠制御を実施する第２扉体用制御手段と、
を備えることを特徴とする建物の扉体制御システム。
【請求項２】
前記第１扉体に設けられた第１扉体用施錠装置と、前記携帯型通信装置とは別に前記ユーザに携帯される電子キーとの無線通信により前記第１扉体用施錠装置の施解錠制御を実施する第１扉体用制御手段とを備える請求項１に記載の建物の扉体制御システム。
【請求項３】
前記第２扉体用制御手段は、前記屋外受信装置により受信した前記識別情報に基づいて前記第２扉体用施錠装置を解錠させた後、所定時間が経過した時点で同施錠装置を施錠状態とする請求項１又は２に記載の建物の扉体制御システム。
【請求項４】
前記屋内外を出入りする際にユーザが通常用いる開口部以外の開口部を複数備える建物に適用され、前記第２扉体用制御手段が、前記複数の開口部にそれぞれ設けられた扉体のうちいずれかを前記第２扉体として施解錠制御を実施する扉体制御システムにあって、
前記第２扉体用制御手段の制御対象となる前記第２扉体を、ユーザの入力操作によって選択可能とした請求項１乃至３のいずれかに記載の建物の扉体制御システム。
【請求項５】
前記携帯型通信装置から受信した前記識別情報があらかじめ定めた特定ユーザの識別情報であることを条件に、前記制御対象となる第２扉体の変更を許可する請求項４に記載の建物の扉体制御システム。
【請求項６】
前記ユーザの生体情報を取得する生体情報取得手段を備え、
前記第２扉体用制御手段は、前記携帯型通信装置から送信される前記識別情報に加え、前記生体情報取得手段により取得した生体情報に基づいて前記第２扉体用施錠装置の施解錠制御を実施する請求項１乃至５のいずれかに記載の建物の扉体制御システム。
【請求項７】
前記ユーザが発する音声を認識する音声認識手段を備え、
前記第２扉体用制御手段は、前記音声認識手段により認識した音声情報とあらかじめ登録しておいた登録情報とを照合し、その照合の結果に基づいて前記第２扉体用施錠装置の施解錠制御を実施する請求項１乃至６のいずれかに記載の建物の扉体制御システム。
【請求項８】
前記第２扉体用制御手段は、前記音声認識手段により認識した音声情報中に、あらかじめ登録しておいた規定ワードが含まれることを条件に、前記第２扉体用施錠装置を解錠する請求項７に記載の建物の扉体制御システム。
【請求項９】
前記ユーザが発する音声を認識する音声認識手段と、
前記音声認識手段により認識した音声情報に基づいて応答メッセージを出力する応答メッセージ出力手段と、
をさらに備える請求項１乃至８のいずれかに記載の扉体制御システム。
【請求項１０】
前記屋内外を出入りする際にユーザが通常用いる開口部以外の開口部は、掃出窓又は勝手口である請求項１乃至９のいずれかに記載の建物の扉体制御システム。
【発明の詳細な説明】
【技術分野】
【０００１】
本発明は、建物の扉体制御システムに関するものである。
【背景技術】
【０００２】
この種の扉体制御システムとして、建物の玄関ドアに設けられた施錠装置を制御対象とし、無線通信により送受信されるＩＤ情報に基づいて施錠装置の施解錠制御を実施する、いわゆるスマートキーシステムが各種提案されている（例えば特許文献１参照）。このスマートキーシステムでは、ユーザが所持する電子キーと建物側の制御装置との間でＩＤ情報が送受信され、そのＩＤ情報の認証に基づいて施錠装置が解錠又は施錠されるようになっている。
【特許文献１】特開２００３−２５３９３７号公報
【発明の開示】
【発明が解決しようとする課題】
【０００３】
しかしながら、上記のようなスマートキーシステムでは、仮にユーザが電子キーを持たないまま屋外に出て、その後施錠装置が施錠状態となった場合には、同施錠装置を解錠することができず、屋内に戻るのに不都合が生じることがあると考えられる。例えば、住人が屋外でガーデニング（庭いじり）等を行おうとして一時的に屋外に出た後、施錠装置が施錠状態となった場合にも同様の不都合が生じると考えられる。また、スマートキーシステムに限られず、ユーザが玄関ドアのキー（鍵）を持たずに屋外に出て、その後玄関ドアが施錠されてしまった場合（幼児が誤って施錠してしまった場合など）にはやはり同様の不都合が生じると考えられる。
【０００４】
本発明は、屋外にいる住人が玄関ドア等の鍵を所持していなくても屋内に入ることを可能とし、ひいては屋内外の出入りの利便性を向上させることができる建物の扉体制御システムを提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
本発明の扉体制御システムは、屋内外を出入りする際にユーザが通常用いる玄関口などの開口部（玄関口２１）に設けられた第１扉体（玄関ドア２２）と、同開口部以外の開口部（掃出窓３１、勝手口４１）に設けられた第２扉体（ガラス戸３２、勝手口ドア４２）とを備えた建物に適用される。そして、ユーザに携帯されユーザ個別の識別情報（ユーザＩＤ情報）を記憶する携帯型通信装置（携帯機５２）と、前記第２扉体の付近に設けられ前記携帯型通信装置から送信される前記識別情報を受信可能とする屋外受信装置（窓通信装置３４）と、前記屋外受信装置により受信した前記識別情報に基づいて、前記第２扉体に設けられた第２扉体用施錠装置（窓施錠装置３３）の施解錠制御を実施する第２扉体用制御手段（窓コントローラ３６）と、を備えることを特徴とする。
【０００７】
上記構成の建物において、建物内にユーザが入ろうとする際、同ユーザは通常、第１扉体を屋外側から開放して建物に入る。また、本発明では特に、第１扉体を開放して建物内に入ることに加え、第２扉体を屋外側から開放して建物内に入ることが可能となっている。すなわち、携帯型通信装置から送信される所定の識別情報が屋外受信装置を介して受信されることを条件に、第２扉体用施錠装置が解錠されて第２扉体を通じての出入りが可能となっている。これにより、携帯型通信装置を携帯したユーザ、すなわち建物の住人等は、通常出入りする開口部（玄関口）以外から建物内に入ることができることとなる。したがって、玄関ドア用の鍵など、第１扉体用の鍵を持たないまま屋外に出た場合において、屋内に戻るのに不都合が生じることが解消される。その結果、屋外にいる住人が玄関ドア等の鍵を所持していなくても屋内に入ることを可能とし、ひいては屋内外の出入りの利便性を向上させることができる。
【０００８】
なお本明細書において、「屋内外を出入りする際にユーザが通常用いる開口部、及び同開口部以外の開口部」はいずれも建物の屋内外に通じる開口部であり、「扉体」には回動式ドアやスライド式の引き戸が含まれる。
【０００９】
第２の発明では、前記第１扉体に設けられた第１扉体用施錠装置（玄関施錠装置２３）と、前記携帯型通信装置とは別に前記ユーザに携帯される電子キー（電子キー５１）との無線通信により前記第１扉体用施錠装置の施解錠制御を実施する第１扉体用制御手段（玄関コントローラ２５）とを備えている。つまり、例えば玄関ドアについては電子キーとの無線通信によって施錠装置の施解錠が実施される。ここで、電子キーを持たないままユーザが建物外へ出た場合には、第１扉体（玄関ドア）の施錠装置を自動解錠できないが、前述のとおり携帯型通信装置から送信される識別情報に基づいて第２扉体用施錠装置が解錠されることにより、第２扉体を通じて建物内に戻ることができる。
【００１０】
第３の発明では、前記第２扉体用制御手段は、前記屋外受信装置により受信した前記識別情報に基づいて前記第２扉体用施錠装置を解錠させた後、所定時間が経過した時点で同施錠装置を施錠状態とする。これにより、必要に応じて第２扉体用施錠装置が解錠された後、同施錠装置が自動で元の施錠状態に戻されるため、防犯上好ましい構成となる。
【００１１】
第４の発明では、前記屋内外を出入りする際にユーザが通常用いる開口部以外の開口部を複数備える建物に適用され、前記第２扉体用制御手段が、前記複数の開口部にそれぞれ設けられた扉体のうちいずれかを前記第２扉体として施解錠制御を実施する扉体制御システムにあって、前記第２扉体用制御手段の制御対象となる前記第２扉体を、ユーザの入力操作によって選択可能とした。この場合、ユーザにとって都合の良い開口部（屋内外を出入りする際にユーザが通常用いる開口部以外の開口部のうちいずれか）を使って、建物内に出入りすることが可能となり、その利便性が一層向上する。
【００１２】
なおこのとき、屋内外を出入りする際にユーザが通常用いる開口部以外の開口部に設けられた全ての扉体を制御対象として施解錠制御を実施するのではなく、都度選択された限られた扉体のみを制御対象とすることにより、任意に各扉体の施解錠制御が行われることに起因して防犯性が低下するといった不都合が回避できる。
【００１３】
第５の発明では、前記携帯型通信装置から受信した前記識別情報があらかじめ定めた特定ユーザの識別情報であることを条件に、前記制御対象となる第２扉体の変更を許可する。つまりこの場合、前記制御対象となる第２扉体が変更できるのは、あらかじめ認定された特定ユーザのみとなる。したがって、ユーザにとって不用意に同第２扉体が変更され、その結果としてユーザが第２扉体を開放して建物内に入ろうとする際にそれができなかったり、意図しない扉体が開放されたりする不都合を抑制することができる。
【００１４】
第６の発明では、前記ユーザの生体情報を取得する生体情報取得手段（音声感知器３５）を備え、前記第２扉体用制御手段は、前記携帯型通信装置から送信される前記識別情報に加え、前記生体情報取得手段により取得した生体情報に基づいて前記第２扉体用施錠装置の施解錠制御を実施する。この場合、携帯型通信装置からの識別情報と生体情報との両情報により第２扉体用施錠装置が解錠されるため、第２扉体用施錠装置を解錠するかどうかをより適正に判断できる。これにより、第２扉体を通じて建物内への進入を可能とする構成において防犯性を高めることができる。
【００１５】
第７の発明では、前記ユーザが発する音声を認識する音声認識手段（音声感知器３５）を備え、前記第２扉体用制御手段は、前記音声認識手段により認識した音声情報とあらかじめ登録しておいた登録情報とを照合し、その照合の結果に基づいて前記第２扉体用施錠装置の施解錠制御を実施する。音声認識手段は、第２扉体付近に設けられているのが望ましい（後述の第９の発明も同様）。また、第８の発明のように、前記第２扉体用制御手段は、前記音声認識手段により認識した音声情報中に、あらかじめ登録しておいた規定ワード（合い言葉等）が含まれることを条件に、前記第２扉体用施錠装置を解錠するとよい。なお、規定ワード（合い言葉等）はユーザごとに定められているとよい。
【００１６】
本構成によれば、音声情報を用いてユーザを認識することにより、第２扉体用施錠装置を解錠させるための条件を簡易に設定できる。
【００１７】
第９の発明では、前記ユーザが発する音声を認識する音声認識手段（音声感知器３５）と、前記音声認識手段により認識した音声情報に基づいて、音声や画像による応答メッセージを出力する応答メッセージ出力手段（窓コントローラ３６）と、をさらに備える。この場合、ユーザは、第２扉体を通じて建物内に入るべく第２扉体用施錠装置を解錠させようとする際に、音声や画像による応答メッセージを受けることができる。そのため、正規のユーザにとっては安心操作が可能となり、正規のユーザでない不審者等にとっては威嚇を行うことが可能となる。
【００１８】
第１０の発明のように、前記屋内外を出入りする際にユーザが通常用いる開口部以外の開口部は、掃出窓又は勝手口（勝手・台所用の出入り口）であるとよい。つまりこの場合、掃出窓に設けられるガラス戸や勝手口に設けられる勝手口ドアを第２扉体とする。住人等のユーザは、掃出窓の外側エリア（テラス等）や勝手口の外側エリアで作業したりすることがあり、その際、玄関口まで行かずに掃出窓や勝手口から屋内に入りたいと思うことがあると想定されるが、上述した本発明によれば、ユーザのニーズとおりに掃出窓や勝手口から屋内に入ることが可能となる。
【発明を実施するための最良の形態】
【００１９】
以下、本発明の扉体制御システムを具体化した一実施形態を図面に基づいて説明する。図１は、建物の一階部分における間取りレイアウトを簡略に示す図である。
【００２０】
図１に示すように、建物（住宅）１０は、主要な建物内スペースとして玄関部１１と、リビングやキッチン等からなる部屋１２，１３，１４，１５とを備えている。玄関部１１には玄関口２１が設けられており、その玄関口２１に玄関ドア２２が設けられている。また、部屋１２（例えばリビング）には、掃出窓３１が設けられており、その掃出窓３１にはガラス戸３２が設けられている。さらに、部屋１３（例えばキッチン）には、勝手口４１が設けられており、その勝手口４１には勝手口ドア４２が設けられている。
【００２１】
本実施形態では、玄関口２１が「屋内外を出入りする際にユーザが通常用いる開口部」に相当し、通常、ユーザは玄関口２１を通じて建物１０に出入りする。また、掃出窓３１及び勝手口４１が「屋内外を出入りする際にユーザが通常用いる開口部以外の開口部」に相当する。なお、建物１０においては、掃出窓３１及び勝手口４１以外にも「屋内外を出入りする際にユーザが通常用いる開口部以外の開口部」に相当する開口部が存在するが、ここでは便宜上省略する。
【００２２】
図２は、玄関ドア２２と掃出窓３１のガラス戸３２とにおける施解錠制御に関する構成を示す概略図である。なお、説明は省略するが、掃出窓３１のガラス戸３２に代えて勝手口４１の勝手口ドア４２について施解錠制御を実施する場合も同様の構成となる。
【００２３】
図２に示すように、玄関ドア２２には、電気シリンダ錠よりなる玄関施錠装置２３が設けられている。玄関施錠装置２３は何ら新規の構成ではないため簡単に説明すれば、同施錠装置２３はロックバーと電気的に駆動されるアクチュエータ（共に図示略）とを備えており、アクチュエータの駆動によりロックバーが出没し、玄関ドア２２が施錠又は解錠のいずれかの状態となるよう構成されている。すなわち、ロックバーが突出状態になることで玄関ドア２２が施錠状態となり、同ロックバーが突出状態から没入状態に移行することで玄関ドア２２が解錠状態となる。
【００２４】
本システムでは、住人等（図中のユーザＵ）が携帯する電子キー５１との無線通信により玄関施錠装置２３の施解錠が自動制御されるものとなっており、当該制御のための構成として、玄関通信装置２４と玄関コントローラ２５とが設けられている。玄関通信装置２４は玄関ドア２２の近傍（又は玄関ドア２２の側面でも可）に設けられ、玄関ドア近傍の所定エリアが通信エリアとなっている。また、玄関コントローラ２５は、ＣＰＵやメモリ等を有するマイクロコンピュータを備えるものであり、この玄関コントローラ２５に玄関施錠装置２３と玄関通信装置２４とが電気的に接続されている。玄関コントローラ２５に対しては、電子キー５１からの受信情報が玄関通信装置２４を通じて送信される。玄関コントローラ２５は、玄関通信装置２４からの受信情報に基づいて玄関施錠装置２３を解錠又は施錠するかを判定し、解錠する場合には玄関施錠装置２３に対して解錠信号を出力し、施錠する場合には玄関施錠装置２３に対して施錠信号を出力する。
【００２５】
電子キー５１は、スマートキーシステムにて実用化されているスマートキーに相当し、同キー５１ごとにＩＤ情報（スマートＩＤ情報）が設定されている。電子キー５１は、玄関コントローラ２５からの要求に応じてスマートＩＤ情報を送信する。
【００２６】
ここで、玄関通信装置２４は、リクエスト信号を常時又は所定の時間周期で送信するのに対し、電子キー５１は、玄関通信装置２４との通信可能エリアに進入してリクエスト信号を受信すると、そのリクエスト信号に応答してスマートＩＤ情報を玄関通信装置２４に送信する。そして、スマートＩＤ情報が玄関コントローラ２５に送信された後、玄関コントローラ２５は、スマートＩＤ情報による認証を行うとともに、玄関施錠装置２３に対して解錠信号又は施錠信号を出力する。このとき、電子キー５１から受信したスマートＩＤ情報が正規ユーザに該当するものであれば玄関施錠装置２３が自動で解錠される。これに対し、同ＩＤ情報が正規ユーザに該当しないものであれば玄関施錠装置２３の解錠が行われない。
【００２７】
また、掃出窓３１のガラス戸３２には、電気クレセント錠よりなる窓施錠装置３３が設けられている。窓施錠装置３３は何ら新規の構成ではないため簡単に説明すれば、同施錠装置３３は、円弧状の掛け部を有するクレセント（ハンドル）と電気的に駆動されるアクチュエータ（共に図示略）とを備えており、アクチュエータの駆動によりクレセントが回動し、ガラス戸３２が施錠又は解錠のいずれかの状態となるよう構成されている。すなわち、クレセントが一方向に回動してその掛け部が固定フックに係合することでガラス戸３２が施錠状態となり、同クレセントが逆方向に回動して前記係合が解除されることでガラス戸３２が解錠状態となる。
【００２８】
本システムでは、前記電子キー５１とは別に住人等（図中のユーザＵ）が携帯する携帯機５２との無線通信により窓施錠装置３３の施解錠が自動制御されるものとなっており、当該制御のための構成として、窓通信装置３４と音声感知器３５と窓コントローラ３６とが設けられている。窓通信装置３４はガラス戸３２の近傍（又はガラス戸３２の側面でも可）に設けられ、ガラス戸近傍の所定エリアが通信エリアとなっている。また、音声感知器３５は、マイクや増幅回路を備えるものであり、ユーザＵが発する音声をマイクで感知するとともにその音声信号を増幅回路で増幅して出力する。
【００２９】
窓コントローラ３６は、ＣＰＵやメモリ等を有するマイクロコンピュータを備えるものであり、この窓コントローラ３６に窓施錠装置３３と窓通信装置３４と音声感知器３５とが電気的に接続されている。窓コントローラ３６には、携帯機５２からの受信情報が窓通信装置３４を通じて入力されるとともに、音声感知器３５で感知したユーザ音声情報が入力される。窓コントローラ３６は、窓通信装置３４からの受信情報とユーザ音声情報とに基づいて窓施錠装置３３を解錠又は施錠するかを判定し、解錠する場合には窓施錠装置３３に対して解錠信号を出力し、施錠する場合には窓施錠装置３３に対して施錠信号を出力する。
【００３０】
携帯機５２は小型携帯装置よりなり、携帯しても邪魔になりにくくかつ常備しやすいものとなっている。例えば、携帯機本体にリストバンドを取り付けた構成のブレスレット式携帯機や、同携帯機本体にネックチェーンを取り付けた構成のペンダント式携帯機、同携帯機本体にバネフックやバッジピンを取り付けた構成のバッジ式携帯機などとして具現化することが考えられる。また、日常的に使用される携帯電話を携帯機５２として用いたり、通信機能を有するＩＣカードを携帯機５２として用いたりすることも可能である。
【００３１】
携帯機５２は、記憶部としてのメモリ（図示略）を有しており、そのメモリには、所有者（ユーザＵ等）ごとに固有のＩＤ情報（ユーザＩＤ情報）が記憶されている。ユーザＩＤ情報は、前述したスマートＩＤ情報とは別に設定され、少なくとも本システムで認証されるユーザであってかつ認証対象とされる複数のユーザ（例えば同居する家族）が個別に識別可能となる情報となっている。
【００３２】
ここで、窓通信装置３４は、リクエスト信号を常時又は所定の時間周期で送信するのに対し、携帯機５２は、窓通信装置３４との通信可能エリアに進入してリクエスト信号を受信すると、そのリクエスト信号に応答してユーザＩＤ情報を窓通信装置３４に送信する。そして、ユーザＩＤ情報が窓コントローラ３６に送信された後、窓コントローラ３６は、ユーザＩＤ情報による認証を行うとともに、その認証結果に基づいて窓施錠装置３３の施解錠制御を実施する。
【００３３】
次に、窓コントローラ３６による窓施錠装置３３の施解錠制御の流れを図３のフローチャートに基づいて説明する。この制御処理は、窓コントローラ３６によって所定の時間周期で実行される。
【００３４】
図３において、ステップＳ１１ではリクエスト信号の送信処理を実行し、続くステップＳ１２では、リクエスト信号に応答して携帯機５２からユーザＩＤ情報を受信したか否かを判定する。応答が無い場合、すなわちユーザＩＤ情報を受信していない場合、そのまま本処理を終了する。
【００３５】
また、応答が有る場合、すなわちユーザＩＤ情報を受信している場合、ステップＳ１３に進み、受信したユーザＩＤ情報に基づいてユーザ認証を実施する。そして、認証ＯＫであれば、ステップＳ１４を肯定して後続のステップＳ１５に進み、認証ＮＧであれば、ステップＳ１４を否定してそのまま本処理を終了する。なお、複数の携帯機からユーザＩＤ情報を受信している場合には、各携帯機からの受信情報のうち少なくともいずれかが認証ＯＫであればステップＳ１５に進む。
【００３６】
ステップＳ１５では、音声感知器３５により感知したユーザの音声情報を解析することで音声認識処理を実施する。具体的には、音声感知器３５により認識した音声情報とあらかじめ登録しておいた登録情報とを照合し、都度認識した音声情報中に、あらかじめ登録しておいた規定ワード（合い言葉等）が含まれるか否かを判定する。規定ワードは、例えば『ドアよ開け。』といったワードであり、この規定ワードはユーザごとに定められている。
【００３７】
その後、ステップＳ１６では、前記ステップＳ１５での音声認識処理による音声認証がＯＫであるか否かを判定する。そして、音声認証ＯＫであればステップＳ１７に進む。ステップＳ１７では、掃出窓３１の窓施錠装置３３を解錠させるべく、同窓施錠装置３３に対して解錠信号を出力する。これにより、掃出窓３１の屋外側にいるユーザが掃出窓３１を通じて屋内に入ることができるようになっている。
【００３８】
ここで、前記ステップＳ１７において掃出窓３１の窓施錠装置３３が自動解錠された場合、その解錠からの経過時間を計測し、同経過時間が所定時間（例えば１０分）となった時点で掃出窓３１の窓施錠装置３３が元の施錠状態に戻されるとよい。
【００３９】
以上詳述した本実施形態によれば、以下の優れた効果が得られる。
【００４０】
携帯機５２から送信されるユーザＩＤ情報と音声感知器３５により感知したユーザの音声情報とに基づいて、掃出窓３１の窓施錠装置３３の施解錠制御を実施する構成としたため、スマートキーシステムの電子キー５１により玄関ドア２２（玄関施錠装置２３）を屋外側から解錠して建物１０内に入ることに加え、掃出窓３１のガラス戸３２（窓施錠装置３３）を屋外側から解錠して建物１０内に入ることが可能となる。つまり、住人が電子キー５１（玄関ドア用の鍵）を持たないまま屋外へ出た場合において、玄関口以外から屋内に入ることができる。したがって、電子キー５１を屋内に忘れて屋外に出てしまった場合や、幼児等が誤って玄関施錠装置２３を施錠してしまった場合に、屋内に戻るのに不都合が生じることが解消される。また、住人は、掃出窓３１の外側エリア（テラス等）でガーデニング等の作業を行うことがあり、その際、玄関口２１まで行かずに掃出窓３１から屋内に入ることが可能となる。以上により、屋外にいる住人が玄関ドア等の鍵を所持していなくても屋内に入ることを可能とし、ひいては屋内外の出入りの利便性を向上させることができる。
【００４１】
ユーザを認証するための情報として、ユーザＩＤ情報に加え、ユーザの音声情報を採用したため、掃出窓３１の窓施錠装置３３を解錠するかどうかをより適正に判断できる。これにより、掃出窓３１を通じて建物１０内への進入を可能とする構成であっても防犯性を高めることができる。
【００４２】
ユーザの音声情報に基づいて施解錠制御を実施する構成によれば、掃出窓３１の窓施錠装置３３を自動解錠させるための条件を簡易に設定できる。また、音声情報に基づく音声認証を実施する際に、ユーザごとに規定ワード（合い言葉等）を登録しておくことにより、ユーザ認証の信頼性を高めることができる。なお、規定ワードは適宜更新されるのが望ましい。
【００４３】
ユーザＩＤ情報やユーザの音声情報に基づいて掃出窓３１の窓施錠装置３３を自動解錠させた後、所定時間が経過した時点で同施錠装置３３を施錠状態とする構成としたため、防犯上好ましい構成となる。
【００４４】
本発明は上記実施形態の記載内容に限定されず、例えば次のように実施されても良い。
【００４５】
建物１０において玄関口２１以外の開口部（掃出窓３１や勝手口４１）にそれぞれ設けられた扉体のうち、いずれを制御対象とするか、すなわちいずれをユーザＩＤ情報により解錠するかを、ユーザの入力操作によって選択可能としてもよい。例えば、窓コントローラ３６に対する入力操作、又は建物内に設けられた管理パソコンに対する入力操作によって、制御対象の扉体を変更する。この場合、ユーザにとって都合の良い開口部（屋内外を出入りする際にユーザが通常用いる開口部以外の開口部のうちいずれか）を使って、建物１０内に出入りすることが可能となり、その利便性が一層向上する。
【００４６】
ここで、屋内外を出入りする際にユーザが通常用いる開口部以外の開口部に設けられた全ての扉体を制御対象として施解錠制御を実施するのではなく、都度選択された限られた扉体のみを制御対象とするとよい。例えば、ガラス戸３２が制御対象として選択された場合には、勝手口ドア４２については施解錠制御（自動解錠）を実施しない。これにより、任意に各扉体の施解錠制御が行われることに起因して防犯性が低下するといった不都合が回避できる。
【００４７】
上記のように、制御対象となる扉体を選択可能とする構成において、都度受信したユーザＩＤ情報が、あらかじめ定めた特定ユーザのＩＤ情報であることを条件に、前記制御対象となる扉体（第２扉体）の変更を許可するとよい。例えば、家族の中で世帯主のみが制御対象を選択できることとする。これにより、住人にとって不用意に前記制御対象となる扉体（玄関ドアとは異なる第２扉体）が変更され、その結果としてユーザが第２扉体を開放して建物内に入ろうとする際にそれができなかったり、意図しない扉体が開放されたりする不都合を抑制することができる。
【００４８】
上記実施形態では、音声情報に基づく音声認証を実施する際に、音声感知器３５により認識した音声情報とあらかじめ登録しておいた登録情報とを照合し、都度認識した音声情報中に、あらかじめ登録しておいた規定ワード（合い言葉等）が含まれるか否かを判定する構成としたが、これを変更する。例えば、音声情報から抽出した声紋に基づいて音声認証を実施する。この場合、音声情報から抽出した声紋と、あらかじめ登録しておいたユーザの声紋とを照合することで、ユーザ認証を実施する。
【００４９】
音声感知器３５により認識したユーザの音声情報に基づいて応答メッセージを作成及び出力し、その応答メッセージの出力後に窓施錠装置３３の施解錠制御を実施する構成としてもよい。応答メッセージは、例えば窓コントローラ３６により生成され、音声メッセージや画像メッセージとして出力されるとよい。具体的には、次の（１），（２）のごとく制御が行われる。
（１）ユーザが屋外（掃出窓３１付近）で『ただいま』等の音声を発すると、システム側で音声認識を行い、『お帰りなさい』等の音声メッセージを出力する。そしてその後、窓施錠装置３３を解錠する。これにより、ユーザにとっては安心感が得られる。
（２）ユーザが屋外（掃出窓３１付近）で『ただいま』等の音声を発すると、システム側で音声認識を行い、『合い言葉をどうぞ』等の音声メッセージを出力する。そして、ユーザがその応答として『開けゴマ』等の音声を返すと、システム側では再び音声認識を行い、正規の音声情報であることを確認した後、窓施錠装置３３を解錠する。これにより、防犯効果が期待できる。
【００５０】
上記構成によれば、ユーザは、掃出窓３１のガラス戸３２を通じて建物内に入るべく窓施錠装置３３を解錠させようとする際に、音声や画像による応答メッセージを受けることができるため、正規のユーザにとっては安心操作が可能となり、正規のユーザでない不審者等にとっては威嚇を行うことが可能となる。
【００５１】
ユーザの生体情報として、音声情報に含まれる声紋以外の情報を用いることも可能である。例えば、指紋読み取り装置（生体情報取得手段に相当）により読み取った指紋情報や、虹彩読み取り装置（生体情報取得手段に相当）により読み取った虹彩情報等に基づいて施解錠制御を実施することが可能である。
【００５２】
上記実施形態では、玄関施錠装置２３の施解錠制御を実施する玄関コントローラ２５（第１扉体用制御手段に相当）と窓施錠装置３３の施解錠制御を実施する窓コントローラ３６（第２扉体用制御手段に相当）とを別のコントローラにて構成したが、これを変更し、同一のコントローラにて構成することも可能である。
【図面の簡単な説明】
【００５３】
【図１】建物の一階部分における間取りレイアウトを簡略に示す図。
【図２】玄関ドアと掃出窓のガラス戸とにおける施解錠制御に関する構成を示す概略図。
【図３】窓施錠装置の施解錠制御の流れを示すフローチャート。
【符号の説明】
【００５４】
１０…建物、２１…玄関口、２２…玄関ドア、２３…玄関施錠装置、２５…玄関コントローラ、３１…掃出窓、３２…ガラス戸、３３…窓施錠装置、３４…窓通信装置、３５…音声感知器、３６…窓コントローラ、４１…勝手口、４２…勝手口ドア、５１…電子キー、５２…携帯機。
【図１】
2008280716.tif 000003
【図２】
2008280716.tif 000004
【図３】
2008280716.tif 000005